(57)【要約】  ヒューズ状態通知システムは１次ヒューズ要素を有する少なくとも１つのヒューズと、ヒューズに近接し１次ヒューズ要素とは分離されている通知回路とを含んでいる。通知回路は回路の経路が１次ヒューズ要素を通じて切断される１次ヒューズ要素の開路を検出するべく構成されている。回路はさらに１次ヒューズ要素の開路が検出される際に光信号を離れた場所に対して伝送するべく構成されており、信号は回路の機械的な作動を伴うことなしに伝送される。
2008518422.tif 000002
【特許請求の範囲】
【請求項１】
１次ヒューズ要素を有する少なくとも１つのヒューズと、
前記ヒューズに近接しているが前記１次ヒューズ要素とは分離された通知回路であって、前記通知回路は、回路の経路が前記１次ヒューズ要素を通じて切断される前記１次ヒューズ要素の開路を検出するべく構成されると共に、前記１次ヒューズ要素の前記開路が検出される際に、光信号を離れた場所に対して伝送するべく構成されており、前記信号は、前記回路の機械的な作動を伴うことなしに、伝送される、通知回路と、
を有するヒューズ状態通知システム。
【請求項２】
前記ヒューズは、可燃性のヒューズ状態インジケータを有しており、前記通知回路は、前記インジケータの燃焼によって起動され、前記光信号を伝送する請求項１記載のヒューズ状態通知システム。
【請求項３】
前記回路は、光検出要素を有する請求項１記載のヒューズ状態通知システム。
【請求項４】
前記回路は、光検出要素と発光要素を有しており、前記光検出要素は、前記１次ヒューズ要素の前記開路と同時に発生する光の放射によって起動され、前記発光要素に前記光信号を伝送させる請求項１記載のヒューズ状態通知システム。
【請求項５】
前記回路は、前記１次ヒューズ要素の前記開路に応答して起動される発光要素と、前記発光要素に近接した光リンクと、を有する請求項１記載のヒューズ状態通知システム。
【請求項６】
前記回路は、電圧監視要素及び電流監視要素の中の少なくとも１つを含む請求項１記載のヒューズ状態通知システム。
【請求項７】
ヒューズパネルを更に有しており、前記回路は、前記１次ヒューズ要素の前記開路を検出するべく前記ヒューズパネルに取り付けられている請求項１記載のヒューズ状態通知システム。
【請求項８】
前記ヒューズパネルは、ライン及び負荷端子を有しており、前記回路は、前記ライン及び負荷端子の電圧又は電流状態を検出するべく構成されている請求項７記載のヒューズ状態通知システム。
【請求項９】
前記回路は、スイッチング要素を更に有しており、前記スイッチング要素は、前記光信号に応答する請求項１記載のヒューズ状態通知システム。
【請求項１０】
前記回路は、エネルギー保存要素と発光要素を更に有しており、前記エネルギー保存要素は、前記１次ヒューズ要素が開路した際に前記発光要素を発光させる請求項１記載のヒューズ状態通知システム。
【請求項１１】
１次ヒューズ要素とローカルヒューズ状態インジケータを具備するヒューズであって、前記ローカルヒューズ状態インジケータは、前記１次ヒューズ要素の動作状態に応答し、機械的な通知要素を利用することなしに、前記１次ヒューズ要素の前記動作状態について視覚的に通知する、ヒューズと、
前記ローカルヒューズ状態インジケータの状態に応答する通知回路であって、前記１次ヒューズ要素が動作不能状態にあることを前記ローカルヒューズ状態インジケータが通知した際に、光信号を離れた場所に送信するべく構成されている通知回路と、
を有するヒューズ通知システム。
【請求項１２】
前記ローカルヒューズ状態インジケータは、可燃性のヒューズ材料を有しており、前記通知回路は、前記可燃性材料の燃焼によって起動され、前記光信号を伝送する請求項１１記載のヒューズ状態通知システム。
【請求項１３】
前記回路は、前記ヒューズと近接しているがこれとは分離された状態において配置された光検出要素を有する請求項１１記載のヒューズ状態通知システム。
【請求項１４】
前記光検出要素は、光検出要素と発光要素を有しており、前記光検出要素は、前記ローカルヒューズ状態インジケータ内において生成された光の放射によって起動され、前記発光要素に前記光信号を伝送させる請求項１１記載のヒューズ状態通知システム。
【請求項１５】
前記回路は、前記ローカルヒューズ状態インジケータの状態の変化に応答して起動される発光要素を有する請求項１１記載のヒューズ状態通知システム。
【請求項１６】
前記回路は、スイッチング要素を更に有しており、前記スイッチング要素は、前記光信号に応答する請求項１１記載のヒューズ状態通知システム。
【請求項１７】
前記回路は、エネルギー保存要素と発光要素を更に有しており、前記エネルギー保存要素は、前記ローカルヒューズ状態インジケータの状態に応答して前記発光要素を発光させる請求項１１記載のヒューズ状態通知システム。
【請求項１８】
１次ヒューズ要素を有する少なくとも１つのヒューズと、
前記ヒューズに近接しているが前記１次ヒューズ要素とは分離されている光学的に起動される通知回路であって、前記１次ヒューズ要素の開路を検出するべく構成された光検出要素と、光信号を離れた場所に伝送するべく構成された発光要素と、を有する光学的に起動される通知回路と、
を有するヒューズ状態通知システム。
【請求項１９】
前記ヒューズは、可燃性のヒューズ状態インジケータを有しており、前記光検出要素は、前記可燃性のヒューズ状態インジケータの燃焼によって起動され、前記発光要素に対してエネルギーを供給する請求項１８記載のヒューズ状態通知システム。
【請求項２０】
１次ヒューズ要素とヒューズ状態のローカル通知のための可燃性のヒューズ状態インジケータを有するヒューズと、
前記可燃性のヒューズ状態インジケータの燃焼を検出する手段と、
前記燃焼が発生した際に前記検出手段に応答して信号を離れた場所に伝送する手段と、
を有するヒューズ状態通知システム。
【請求項２１】
前記検出手段は、感光検出器要素を有する請求項２０記載のヒューズ状態通知システム。
【請求項２２】
前記伝送手段は、発光要素と光リンクを有する請求項２０記載のヒューズ状態通知システム。
【請求項２３】
前記ヒューズは、円筒形カートリッジヒューズである請求項２０記載のヒューズ状態インジケータ。
【発明の詳細な説明】
【技術分野】
【０００１】
本発明は、一般に、ヒューズに関するものであり、更に詳しくは、ヒューズ状態インジケータを有するヒューズに関するものである。
（関連出願に対する相互参照）
本出願の主題は、本出願人による２００３年３月２９日付けで出願された（現在は、米国特許第６，５５６，９９６号として発行されている）米国特許出願第０９／５３７，５１８号、本出願人による２００４年４月１４日付けで出願された米国特許出願第１０／８２３，９０５号、及び本出願人による２００４年９月８日付けで出願された米国特許出願第１０／９３６，４０６号に関係するものであり、これらの開示内容は、本引用により、そのすべてが本明細書に包含される。
【背景技術】
【０００２】
ヒューズは、電気回路に対する大規模な損傷を防止するための過電流保護装置として広く使用されている。通常、ヒューズの端子要素（例えば、エンドキャップや端子ブレード）が、電源と、電気コンポーネント又は電気回路内に配列されたコンポーネントの組み合わせの間において、電気接続を形成している。ヒューズの端子要素間には、溶解可能なリンク又は溶解可能な要素が接続されており、この結果、ヒューズを通じて流れる電流が既定の限度を超過した際に、溶解可能なリンク又は要素が溶解してヒューズを通じた回路を開路することにより、電気コンポーネントの損傷を防止するようになっている。
【０００３】
特定のヒューズは、交換を要する開路したヒューズに関する通知を円滑に実行するローカルヒューズ状態インジケータを含んでおり、特定の動作システム内においては、しばしば、ヒューズ状態のリモート通知機能を更に提供することが望ましい。この結果、ヒューズ内の溶解可能な要素又はリンクが開路した際に、オペレータステーションなどの離れた場所に対して信号を送信可能であり、この信号を使用して電気システム内の開路したヒューズについて保守要員又はその他の関係者に警告し、これにより、ヒューズを交換して電気システムに電力を再供給できるようにすることができる。ローカルヒューズ状態インジケータとは、開路したヒューズの場所付近又は近傍において、交換を要する開路したヒューズを視覚的に識別するものである。従来、このタイプのシステムにおいては、ヒューズの状態をローカルに通知するべく、機械的なピン又は機械的な作動要素がヒューズのハウジングから延長しており、この機械的な作動要素が、離れた場所に対して信号を伝達するべく、マイクロスイッチに接触し、これを起動している。これには、通常、このような目的のためのヒューズ又はマイクロスイッチに対する配線の機械的な装着が伴っている。しかしながら、このような配線による接続は、ヒューズが取り付けられる電気システムの費用と複雑性を増大させることになると共に、機械的に起動されるタイプのローカルヒューズ状態インジケータは、使用における信頼性の問題を有している。
【０００４】
Ｄｏｕｇｌａｓｓ他に付与された米国特許第６，５６６，９９６号は、可燃性のヒューズ状態インジケータに関するものであり、この可燃性のヒューズ状態インジケータは、その他のタイプのローカルヒューズ状態インジケータと比べて、その低コスト構造及びその信頼性の両面において注目に値するものである。この第６，５６６，９９６号特許の可燃性ヒューズ状態インジケータは、矩形形状のヒューズモジュールの側部を通じて延長する透明なレンズに隣接して配置された可燃性物質を含んでいる。２次ヒューズリンクが可燃性物質に隣接して延長しており、２次ヒューズリンクの開路と関連した熱によって可燃性物質が点火されることにより、対照的な色を有する背景層を露出させる。この可燃性ヒューズ状態インジケータは、同時係属中の本出願人による米国特許出願第１０／８２３，９０５号及び第１０／９３６，４０６号に記述されている円筒形又はカートリッジヒューズを含むその他のタイプのヒューズにも適合可能である。
【発明の開示】
【発明が解決しようとする課題】
【０００５】
このような可燃性のインジケータは、ヒューズ状態のローカル通知を確実に提供可能ではあるが、このようなインジケータによってヒューズ状態のリモート通知を実現することは困難である。
【課題を解決するための手段】
【０００６】
模範的な実施例においては、ヒューズ状態通知システムが提供されている。本システムは、１次ヒューズ要素を有する少なくとも１つのヒューズと、ヒューズに近接しているが１次ヒューズ要素からは分離されている通知回路と、を有している。通知回路は、回路の経路が１次ヒューズ要素を通じて切断される１次ヒューズ要素の開路を検出するべく構成されている。この回路は、１次ヒューズ要素の開路が検出された際に光信号を離れた場所に対して伝送するべく更に構成されており、この信号は、本回路の機械的な起動を伴うことなしに、伝送される。
【０００７】
別の模範的な実施例によれば、ヒューズ通知システムが提供されている。本システムは、１次ヒューズ要素とローカルヒューズ状態インジケータを具備するヒューズを有している。ローカルヒューズ状態インジケータは、１次ヒューズ要素の動作状態に応答し、機械的な通知要素を利用することなしに、１次ヒューズ要素の動作状態について視覚的に通知する。通知回路が、ローカルヒューズ状態インジケータの状態に応答しており、この通知回路は、１次ヒューズ要素が動作不能状態にあるとローカルヒューズ状態インジケータが通知した際に光信号を離れた場所に対して送信するべく構成されている。
【０００８】
更に別の実施例によれば、ヒューズ状態通知システムが提供されている。本システムは、１次ヒューズ要素を有する少なくとも１つのヒューズを有しており、光学的に起動される通知回路が、ヒューズに近接してはいるが、１次ヒューズ要素からは分離されている。この回路は、１次ヒューズ要素の開路を検出するべく構成された光検出要素と、離れた場所に光信号を伝送するべく構成された発光要素と、を有している。
【０００９】
更に別の実施例によれば、ヒューズ状態通知システムは、１次ヒューズ要素及びヒューズ状態のローカルな通知用の可燃性ヒューズ状態インジケータを具備するヒューズと、可燃性ヒューズ状態インジケータの燃焼を検出する手段と、燃焼が発生した際に検出手段に応答して離れた場所に対して信号を伝送する手段と、を有している。
【発明を実施するための最良の形態】
【００１０】
図１は、後述するリモートヒューズ状態通知システムとの関連において使用可能なローカルヒューズ状態インジケータアセンブリ１０２を含む模範的なヒューズ１００の平面図である。以下において明らかになるように、ヒューズ１００に対する配線による接続を伴うことなしに、且つ、機械的な作動要素を伴うことなしに、ヒューズ状態のリモート通知を提供可能である。
【００１１】
ヒューズ１００は、円筒形のヒューズチューブ又は本体１０４を含んでおり、この本体は、絶縁（即ち、非導電性の）材料から製造されており、且つ、第１端部１０６、第２端部１０８、及びこれらの間に延長するボアを具備している（このボアは、図１には、示されておらず、且つ、図１には示されていない１次ヒューズ要素アセンブリを収容している）。本体１０４内には、細長いスロット１１０が形成されており、インジケータアセンブリ１０２の一部が、本体１０４の外部表面１１２上においてスロット１１０内に配置されている。一実施例においては、スロット１１０は、本体１０４の第１端部１０６から第２端部１０８に向かって規定の距離だけ延長しており、スロット１１０は、ヒューズ１００の長手方向の軸１１４に略平行な方向に延長している。
【００１２】
本体１０４のそれぞれの端部１０６及び１０８において、導電性の端子要素１１６及び１１８がヒューズ本体１０４に装着されている。模範的な実施例においては、端子要素１１６及び１１８は、それぞれ、本体１０４の端部１０６、１０８内に収容されるベース１２０と、ベース１２０から外向きに延長している（しばしば、ナイフブレードとも呼ばれる）ブレード１２２と、を含むエンドベルアセンブリである。端子要素１１６及び１１８は、ライン側及び負荷側電気回路（これらは、図１には示されていない）に接続されており、これにより、１次ヒューズ要素アセンブリを通じた電流経路を形成している。既知のヒューズと同様に、１次ヒューズ要素アセンブリは、端子要素１１６及び１１８間においてヒューズ本体１０４を通じて延長する１つ又は複数の溶解可能なリンク又はヒューズ要素を包含可能である。
【００１３】
ローカルヒューズ状態インジケータアセンブリ１０２の一部は、第１端部１０６及び端子要素１１６近傍の本体１０４内のスロット１１０内に位置している。ヒューズ状態インジケータ１０２の一部は、インジケータウィンドウ１２４を介してヒューズ１００の動作状況又は状態について通知するべく、本体１０４内のスロット１１０を通じて可視状態になっている。ローカルヒューズ状態インジケータアセンブリ１０２は、後述する方式において端子要素１１６及び１１８に対して電気的に接続されており、機械的に起動されるインジケータ要素を伴うことなしに、１次ヒューズ要素アセンブリの動作状況又は状態について視覚的に通知する。具体的には、ウィンドウ１２４は、後述する方式により、１次ヒューズ要素アセンブリが、電流が１次ヒューズ要素アセンブリを通じて伝導する非開路又は動作可能状態にあるかどうか、或いは、１次ヒューズ要素アセンブリが、ヒューズ要素を通じた回路が切断されている開路又は動作不能状態にあるかどうかを通知している。従って、ウィンドウ１２４を視覚的に観察することにより、交換を要する動作不能な又は開路したヒューズをかなり迅速且つ容易に識別可能である。
【００１４】
但し、このヒューズ１００は、インジケータアセンブリ１０２を利用可能な一例に過ぎないことを理解されたい。この模範的な実施例においては、ヒューズ本体１０４は、細長く、且つ、略円筒形を有しているが、当業者であれば理解するように、インジケータアセンブリ１０２の利点は、矩形のヒューズ本体やこれに類似したものなどの非円筒形の本体を具備したヒューズにも適用可能であることを理解されたい。本出願人による米国特許第６，５５６，９９６号及び本出願人による米国特許出願第１０／８３２，９０５号（これらは、本引用により、本明細書に包含される）は、それぞれ、例えば、アセンブリ１０２に類似したローカルヒューズ状態インジケータを具備したヒューズのその他のタイプ、構成、及び適合について記述している。
【００１５】
同様に、図示のヒューズは、エンドベル端子要素１１６及び１１８を示しているが、インジケータアセンブリ１０２は、ライン側及び負荷側回路をヒューズに接続するための当技術分野において既知のその他のタイプの端子要素に対する同様の適用可能性をも具備している。従って、インジケータアセンブリ１０２は、様々なアプリケーションを意図すると共に様々なヒューズ定格を具備した様々なヒューズに対して適用可能であり、従って、本明細書に図示及び説明されているヒューズの実施例及びローカルヒューズ状態インジケータアセンブリ１０２の特定の実施例は、例示を目的として示されているに過ぎないことを理解されたい。本発明は、特定のヒューズの形状、タイプ、分類、又は定格、或いは、ローカルヒューズ状態インジケータの特定の実施例に限定されることを意図するものではない。
【００１６】
図２は、図１に示されている位置から長手方向の軸１１４を中心として９０°回転された模範的なヒューズ１００を示している。端子要素１１６及び１１８は、ヒューズ本体１０４のそれぞれの個別の端部１０６、１０８から延長しており、ブレード１２２は、本体１０４のそれぞれの端部上において実質的に矩形の構成において延長している。既知のブレードヒューズと同様に、ブレード１２２内には、アパーチャ１３０が提供されているが、代替実施例においては、所望又は必要に応じて、これらのアパーチャを省略することにより、規定のヒューズ性能及び設置パラメータを得ることが可能である。
【００１７】
図２に示されているように、ローカルヒューズ状態インジケータアセンブリ１０２は、インジケータアセンブリ１０２の第１端部において第１端子要素のベース１２０上に安着しており、ハウジング１０４内のスロット１１０内を延長すると共にヒューズ本体１０４の外部表面１１０と実質的に同一平面をなし、且つ、本体１０４内に形成された開口部又はボア内においてヒューズ本体１０４の内部に延長している。この結果、ヒューズ状態インジケータアセンブリ１０２は、ヒューズ本体１０４から部分的に露出していると共に、ヒューズ本体１０４によって部分的に保護されている。
【００１８】
図３は、例えば、ヒューズ１００（図１及び図２に示されているもの）と共に使用される模範的なヒューズ状態インジケータアセンブリ１０２の分解底部斜視図である。例示用の実施例においては、ヒューズ状態インジケータアセンブリ１０２は、絶縁性（即ち、非導電性の）延長部材１５０、２次ヒューズリンク１５２、接触ピン１５４、インジケータ要素１５６、背景層１５８、及び導電性クリップ１６０を含んでいる。
【００１９】
延長部材１５０は、クリップ部１６２と、クリップ部１６２から延長するオーバーラップした隆起部分１６４と、を含んでいる。隆起部分１６４は、クリップ部１６２の外部表面１６８に対して実質的に垂直に延長する端部壁１６６を含んでおり、クリップ部１６２は、隆起部分１６４の内部表面１７２に実質的に垂直に延長する端部壁１７０を含んでいる。この結果、クリップ部１６２の外部表面１６８は、隆起部分１６４の外部表面１７４よりも窪んでおり、隆起部分１６４の内部表面１７２は、クリップ部１６２の内部表面１７６よりも窪んでいる。使用の際には、延長部材１５０の隆起部分１６４は、ヒューズ本体１０４のスロット１１０（図１及び図２に示されているもの）内に収容され、クリップ部１６２の外部表面１６８は、ヒューズ本体の内部表面に隣接して位置し（図２を参照されたい）、隆起部分１６４の内部表面１７２は、端子要素１１６上に配置され（図２を参照されたい）、端部壁１６６、１７２は、それぞれ、スロット１１０及び端子要素１１６との関係において延長部材１５０を配置するための停止表面として機能している。隆起部分１６４は、隆起部分１６４を締まりばめによってスロット１１０（図１）の対応する側部表面に固定するクラッシュリブをその側部表面上に包含可能である。
【００２０】
模範的な実施例においては、延長部材１５０は、一般に、クリップ及び隆起部分１６２及び１６４のそれぞれにおいて曲がっている（又は、湾曲している）。クリップ部１６２の外部表面１６８は、ヒューズ本体１０４の内部表面の曲率半径に実質的に等しい曲率半径を具備しており、隆起部分１６４の外部表面１７４は、ヒューズ本体１０４の外部表面１１２（図１）の曲率半径に実質的に等しい曲率半径を具備している。延長部材１５０は、ヒューズ１００の軸１１４（図１及び図２）に平行な長手方向において細長くなっており、延長部材１５０は、横方向（即ち、軸１１４を横切る方向）において湾曲しており、この結果、インジケータアセンブリ１０２が設置された際に、延長部材１５０は、ヒューズ本体１０４の内部及び外部表面に略合致し、相補性を有している。
【００２１】
延長部材１５０は、窪んだハウジング又は空洞１７８を更に含んでおり、この空洞は、クリップ部１６２の内部表面１７６から隆起部分１６４に向かって延長し、且つ、隆起部分１６４の端部壁１６６に隣接して配置されている。空洞１７８は、後述するインジケータ材料１５６を収容するべく、サイズ及び寸法設定されており、一実施例においては、空洞１７８は、その底部にウィンドウ１２４を含んでおり、この結果、図１に示されているように、ウィンドウ１２４は、ヒューズ本体１０４のスロット１１０の端部に隣接して配置されている。ウィンドウ１２４は、ポリカーボネート、ポリスルフォン、ポリエーテルスルフォン、及びアクリルを含む（但し、これらに限定されない）当技術分野において既知の透明材料から製造可能な透明なレンズである。
【００２２】
延長部材１５０は、クリップ部１６２の上に突き出している隆起部分１６４の内部表面１７２内に形成されたアパーチャ１８０をも含んでおり、アパーチャ１８０は、接触ピン１５４の一部を収容するべく、内部表面１７２からアクセス可能である。一実施例においては、接触ピン１５４は、実質的に円筒形の形態において導電性材料から製造されており、アパーチャ１８０は、形状が円筒形であり、隆起部分の表面１７２から外向きに延長しているピン１５４との締まりばめによって接触ピン１５４を収容するべく寸法設定されている。但し、代替実施例においては、ピン１５０及びアパーチャ１８０は、本発明の範囲を逸脱することなしに、その他の方式において成形可能であることを認識されたい。
【００２３】
クリップ部１６２の先頭の端部１８２は、クリップ１６０のかぎ形の端部１８８をそれぞれ収容及び装着する取り付けアパーチャ１８４及び取り付けフランジ１８６を含んでいる。取り付けフランジ１８６は、延長部材１５０と同様に、当技術分野において既知の様々な材料から製造可能であり、模範的な実施例においては、プラスチックから製造されている。
【００２４】
模範的な実施例においては、インジケータ材料１５６は、容易に発火可能なニトロセルロースコットンの小さな束の形態における可燃性物質であって、延長部材１５０内の窪んだ空洞１７８を実質的に充填している。インジケータ材料１５６は、ウィンドウ１２４から一定の距離において背景層１５８上に安着している。代替実施例においては、インジケータ材料１５６は、円筒形ハウジング１７８を部分的にのみ充填することによってウィンドウ１２４とインジケータ材料１５６の間に絶縁空隙（図示されてはいない）を生成しており、この絶縁空隙は、２次ヒューズリンク１５２がインジケータ材料１５６に点火した際に、可燃性物質の燃焼を提供すると共に、関連する熱からウィンドウ１２４を保護している。インジケータ材料１５６は、背景層１５８とは対照的な色を具備しており、この色は、後程詳述するように、ヒューズの状態を容易に通知するべく、インジケータ材料１５６とは対照的な任意の色であってよい。一実施例においては、インジケータ材料１５６は、白であり、背景層１５８は、黒である。
【００２５】
更なる実施例においては、既知の強力な化合物（ｅｎｅｒｇｅｔｉｃ  ｃｈｅｍｉｃａｌ  ｃｏｍｐｏｕｎｄ）を使用し、インジケータ材料１５６の点火を支援可能である。このような強力な化合物の１つが、本出願人による米国特許第６，５５６，９９６号に記述されており、この内容は、本引用により、本明細書に包含される。但し、その他の実施例においては、インジケータ材料１５６の点火及び燃焼を支援又は促進するべく、その他の化合物を利用可能であると考えられる。
【００２６】
代替実施例においては、インジケータ材料１５６として、ニトロセルロースコットンの代わりに、当技術分野において既知のその他の容易に燃焼可能な材料を使用可能である。例えば、純粋なニトロセルロース、セルロースペーパーなどの燃焼可能な物質、ポリマーフィルム、ポリマーフェルト、及びセルロースフェルトを本発明の範囲内において使用可能である。このような実施例においては、インジケータ材料１５６は、例えば、０．００１インチ〜０．０１０インチの厚さの円板を含む（但し、これに限定されない）様々な形態において、窪んだ凹部１７８に隣接し（且つ／又は、この内部に）配置されている。これらの円板は、インジケータ材料１５６が、窪んだ空洞１７８を超えて延長するように、空洞１７８及び／又はウィンドウ１２４よりも寸法が大きくなるように寸法設定可能である。
【００２７】
２次ヒューズリンク１５２は、一端において、延長部材１６２及びクリップ１６０のかぎ形の端部１８８に結合されており、他端においては、接触ピン１５４に結合されている。２次ヒューズリンク１５２は、ヒューズの正常な動作の際にヒューズを通じて流れる電流の実質的にすべてが１次ヒューズ要素アセンブリを通過するように、ヒューズの１次ヒューズ要素アセンブリ（これは、図３に示されてはいない）よりも格段に大きな電気抵抗を具備している。但し、２次ヒューズリンク１５２は、ヒューズの望ましいアンペア数定格に従って指定の電流において溶解するべく製造されている。
【００２８】
模範的な実施例においては、２次ヒューズリンク１５２は、例えば、既定の抵抗を具備した銅、銅合金、又はクロームから製造された細いワイヤなどの微細なヒューズワイヤから製造されており、この微細なヒューズワイヤが、延長部材１５０内の空洞に近接したヒューズリンク１５２中の高抵抗部分１５３を形成している。この微細なワイヤの端部に第２ワイヤ（これは、ヒューズワイヤとは異なるものである）を巻き付けることにより（又は、捩り合わせることにより）、高抵抗部分の両側に低抵抗部分を形成する。但し、可燃性物質１５６近傍のヒューズワイヤの中央部分（即ち、高抵抗部分１５３）は、その周りに捩り合わせられた第２ワイヤを含んではいない。例示用の実施例においては、第２ワイヤは、ヒューズワイヤよりも相対的に小さな抵抗を有しており、例えば、既定回数だけヒューズワイヤの周りに巻き付けられることにより、２次ヒューズリンク１５３中の低抵抗部分１５５を形成している。２次ヒューズリンク１５２のヒューズワイヤ上の捩り合わせられたワイヤは、後述するように、事実上、可燃性物質１５６に近接した高抵抗部分１５５を提供しつつ、クリップ１６０及び接触ピン１５４を通じて１次ヒューズ要素アセンブリと並列に機械的及び電気的に接続可能な低抵抗の終端部分１５５を生成している。高抵抗部分１５３は、前述のように、対照的な背景層１５８を露出させてヒューズの動作可能な状態を識別するための過電流状態における可燃性物質１５６の確実な点火及び消費を保証している。この２次ヒューズリンク１５２中における高抵抗及び低抵抗部分の戦略的な利用により、２次ヒューズリンク１５２において広いレンジの電気抵抗の組み合わせを実現し、関連するヒューズにおいて広いレンジのアンペア数定格（例えば、一実施例においては、６Ａ〜６００Ａ）を実現する。
【００２９】
代替実施例においては、高抵抗部分１５５及び低抵抗部分１５５を具備する２次ヒューズリンク１５２は、例えば、低抵抗を有する銅又は別の適切な材料によってコーティング、メッキ、又はオーバーレイされた高抵抗の微細なヒューズワイヤから製造可能である。メッキされたワイヤから銅メッキの一部をストリップ、切断、又はその他の方法で除去することにより、高抵抗部分１５５を形成可能である。高抵抗部分１５３に隣接するワイヤの残りのメッキされている部分は、端子要素１１６及び１１８（図１及び図２）に対する終端処理のための低抵抗部分３５５を形成している。
【００３０】
その他の実施例においては、２次ヒューズリンク１５２は、銅、並びに、亜鉛、ニッケル、クロミウム、すず、鉄、モリブデン、アルミニウム、ベリリウム、及びシリコンを含んだ銅合金を含む（但し、これらに限定されない）当技術分野において既知の材料からなる単一のヒューズワイヤから製造可能である。
【００３１】
背景層１５８は、図１に示されているように、ウィンドウ１２４の上方から観察された際に、インジケータ材料１５６によって隠れる又は隠蔽されるように、インジケータ材料１５６に隣接して配設されており、これを超えて延長している。背景層１５８は、インジケータ材料１５６とは対照的な色を有しており、一般に、インジケータ材料１５６と同一の広がりを有している。インジケータ材料１５６と背景層１５８の間に配設されているのが２次ヒューズリンク１５２である。
【００３２】
模範的な実施例においては、背景層１５８は、柔軟であって、その一面に接着層又は粘着層を含んでいる。柔軟な背景層１５８は、２次ヒューズリンク１５２及びインジケータ材料１５６に隣接して延長部材１５０の内部表面１７６に貼り付けられており、これにより、窪んだ空洞１７８内において定位置にインジケータ材料１５２を維持すると共に、延長部材１５０に対する２次ヒューズリンク１５２の位置を維持している。背景層１５８は、インジケータ材料１５６と比較し、相対的に非可燃性の材料から製造されており、インジケータ材料１５６とは対照的な色を有している。例示用の実施例においては、背景層２３６は、例えば、インジケータ材料１５６と鋭い色の対照性を有した黒のビニル絶縁テープから製造されており、このビニル絶縁テープは、インジケータ材料１５６に近接して２次ヒューズリンク１５２を延長部材１５０に固定している。ビニル絶縁テープの柔軟性により、延長部材１５０の曲線を有する形状に対応しつつ、インジケータ材料１５６に対する適切な位置に２次ヒューズリンク１５２を確実に配置することにより、指定の過電流状態が発生した際にその確実な点火を保証している。更なる及び／又は代替実施例においては、ビニル絶縁テープの代わりに、接着剤又はその他の装着方法によってその他の絶縁（即ち、非導電性の）材料（柔軟性又は剛性を有するもの）を利用することにより、延長部材１５０の湾曲した形状に対応可能である。
【００３３】
クリップ１６０は、導電性材料から製造されており、例示用の実施例においては、銅、或いは、亜鉛、ニッケル、クロミウム、すず、鉄、モリブデン、アルミニウム、ベリリウム、及びシリコンを含む合金を含む（但し、これらに限定されない）銅合金などの導電性材料のストリップ又はリボンから製造されている。クリップ１６０は、細長いストリップ１９０から延長するかぎ形の端部１８８を含むように形成又は折り畳まれている。かぎ形の端部１８８は、延長部材１５０内の取り付けアパーチャ１８４を通じて挿入され、かぎ形の端部１８８が取り付けフランジ１８２とアライメントするまで、矢印Ａの方向に移動させる。次いで、既知の留め具（例えば、リベット又はネジ）をかぎ形の端部１８８及び取り付けフランジ１８２を通じて挿入し、クリップ１６０を延長部材１５０に固定可能である。或いは、この代わりに、かぎ形の端部１８８を締まりばめによって取り付けフランジに固定することも可能である。
【００３４】
２次ヒューズリンク１５２は、延長部材１５０の両端においてクリップ１９０と接触ピン１５４に結合し、これらの間に延びている。２次ヒューズリンク１５２は、一端においては、接触ピン１５４の周りに巻きつけられており、他端において、クリップ１９０に電気的に接続されている。クリップ１６０とピン１５４の間において、２次ヒューズリンク１５２は、延長部材１５０の内部表面１７６に沿って延びており、背景層１５８が、２次ヒューズリンク１５２を定位置に維持すると共に、２次ヒューズリンク１５２の一部が延長部材１５０の空洞１７８内のインジケータ材料１５６上をこれに隣接して延びることを保証している。
【００３５】
更なる実施例においては、ヒューズ状態インジケータアセンブリ１０２内において（特に、空洞１７８の両側の延長部材上において）接着シーリングコンパウンドを利用可能である。例えば、当業者には周知のＬｏｃｔｉｔｅ  ５０８８コンパウンドなどのシリコンコークを使用することにより、アセンブリ１０２の周りにおいて（特に、ウィンドウ１２４の近傍において）発生可能なフルグライト（ｆｕｌｇｅｒｉｔｅ）の形成を防止可能である。
【００３６】
図４は、ヒューズ状態インジケータアセンブリ１０２を含むヒューズ１００の分解組立図である。クリップ１６０及び接触ピン１５４が、延長部材１５０の両端から延長し、延長部材１５０にわたって延びる２次ヒューズリンク１５４（図３）を電気的に接続している。
【００３７】
１次ヒューズ要素アセンブリ２００は、既知の方式により、端子要素１１６及び１１８の間において電気的に接続されている。例示用の実施例においては、ヒューズ要素アセンブリ２００は、短絡部分２０２と時間遅延部分２０４を有する既知の「クラスＪ」ヒューズ要素であるが、その他の既知のヒューズ要素、溶解可能なリンク、溶解可能なストリップ、及びこれらに類似したものを、別途に、或いは、本発明の更なる及び／又は代替実施例との組み合わせにおいて、同様に利用することも可能であることを理解されたい。
【００３８】
端子要素１１６及び１１８のベース部分１２０のそれぞれは、その内部にアパーチャ２０２を含んでおり、これらの端子要素１１６及び１１８のアパーチャ２０２の中の１つは、接触ピン１５４を収容することにより、インジケータアセンブリ１０２をその個別の端子要素に電気的に接続している。一方、クリップ１６０のストリップ１９０は、反対側の端子要素１１６又は１１８に向かって延長しており、ヒューズ１００が組み立てられた際に、このストリップ部分は、ベース部分１２０と本体１０４の内部表面２０４の間にトラップされる。接触ピン１５４は、このアセンブリの第１端部を端子要素１１６に固定しており、延長部材１５０がヒューズ本体１０４内のスロット１１０内に嵌め合わされた際に、クリップ１６０は、反対側の端子要素１１８とアライメントし、これとの間における電気的な接触を実現することになる。１次ヒューズ要素２００がヒューズ本体１０４を通じてボア２０６内に収容された際に、１次ヒューズ要素アセンブリはボア２０６内に封入されることになり、端子要素１１６及び１１８が本体に結合され、且つ、前述のように、インジケータアセンブリ１０２が接触ピン１５４及びクリップ１６０を介して本体に接続された際に、インジケータアセンブリ１０２の２次ヒューズリンク１５４は、端子要素間において１次ヒューズ要素アセンブリ２００と並列に電気的に接続されることになる。
【００３９】
例示用の実施例においては、それぞれの端子要素１１６及び１１８に、アパーチャ２０２が提供されており、これらのアパーチャ２０２は、接触ピンが端子要素１１６及び１１８のいずれかの内部に延長すると共にクリップ１６０が端子要素１１６及び１１８の他方に係合した状態においてインジケータアセンブリを設置できるように、互いにアライメントされている。或いは、この代わりに、インジケータアセンブリ１２０を１つの位置にしか設置できない実施例においては、アパーチャ２０２を端子要素１１６、１１８のいずれかにのみ提供可能であろう。又、別の実施例においては、延長部材１５０を細長くすると共に接触ピン１５４を両端部に採用することにより、端子要素１１６、１１８に対する２次ヒューズリンク１５４の電気的な接続を確立することも可能であろう。
【００４０】
設置が完了すると、ヒューズ状態インジケータアセンブリ１０２は、次のように機能する。１次ヒューズ要素アセンブリ２００が過電流状態に起因して開路した際に、電流は、接触ピン１５４及びクリップ１６０を介してインジケータアセンブリ１０２の並列の２次ヒューズリンク１５２を通じて流れることになり、この結果、２次ヒューズリンク１５２が溶解又は蒸発することになる。この結果得られる熱によってインジケータ材料１５６に点火され、延長部材１５０内の窪んだ円筒形の空洞１７８（図３）内における閉じ込められた燃焼によって可燃性物質が消費される。燃焼が完了した際に、背景層１５８が、ウィンドウ１２８を通じて可視状態となる。
【００４１】
この結果、ウィンドウ１４０を通じて観察した際に、ヒューズ１００の動作可能状況又は状態が、例えば、明るい色から暗い色への色の可視状態の変化によって容易に通知されることになる。ウィンドウ２４０を通じて見える色は、開路していない又は動作可能な状態におけるインジケータ材料１５６の色、並びに、１次ヒューズ要素２００が開路した後の開路した又は動作不能な状態における背景層１５８の色を反映している。即ち、ウィンドウ１２４を観察している観察者にとっては、１次ヒューズ要素アセンブリ２００が動作可能である際には（即ち、まだ溶解又は開路していない際には）、明るい色の可燃性物質がウィンドウ１２４を通じて可視状態にある。しかしながら、１次ヒューズ要素アセンブリ２００が、障害電流のために溶解又は開路したことに起因して動作不能である際には、電流によって２次ヒューズリンク１５４が蒸発し、インジケータ材料１５６が点火並びに消費され、これにより、対照的な暗い色の背景層１５８が露出し、この結果、これがウィンドウ１２４を通じて可視状態となる。従って、低コストのアセンブリ１０２内において、確実なヒューズ状態のローカル通知が提供されることになる。
【００４２】
後述するように、このようなヒューズにより、ヒューズ１００に対する配線による接続を伴うことなく、且つ、機械的な作動機能を伴うことなしに、ヒューズ状態のリモート通知を提供可能である。前述のローカルヒューズ状態インジケータ１０２を有する特に有利なこの種の１つのシステムは、光学的に起動される通知回路を含んでおり、この通知回路は、インジケータ材料１５６が点火され、燃焼し、消費された際のインジケータ１０２内における光の放射を検知している。燃焼が発生し、その光を検知した際には、その光を電気信号に変換し、後述する離れた場所に対して伝送することにより、交換を要する開路したヒューズについて関係者に警告可能である。
【００４３】
図５は、例えば、図１〜図４に関係して先程提示したヒューズ１００と共に使用可能な模範的なヒューズパネル、ヒューズホルダ、ヒューズブロック、又はヒューズパネル２５０（本明細書においては、これらを集合的に「パネル２５０」と呼ぶ）の平面図である。このパネル２５０は、ヒューズ１００を収容するべく寸法設定された領域と、導電性端子２５２を含んでいる。図２の実施例においては、端子２５２は、ヒューズ１００へのライン及び負荷接続を確立するべく当技術分野において既知の導電性ヒューズクリップである。具体的には、クリップ２５２は、ヒューズ１００のブレード（図１及び図２に示されているもの）を受け入れている。但し、当技術分野において既知のその他のタイプの端子要素を使用することにより、電子回路（これは、図５に示されてはいない）に対するライン側及び負荷側の電気接続を確立することも可能であると考えられる。又、図５のパネル２５０内には、１つのヒューズ１００しか示されていないが、パネル２５０は、ヒューズによる保護を電気システムに提供するべく、複数のヒューズ１００を収容可能であることをも理解されたい。
【００４４】
模範的な実施例においては、パネル２５０は、ヒューズ１００と近接して（但し、これとは離隔して）配置された光検出要素２５６及び発光要素２５８を具備した通知回路２５４を含んでいる。更に詳しくは、一実施例においては、光検出要素２５６は、光に対する高感度を有していると共に、ヒューズ１００のローカルヒューズ状態インジケータアセンブリ１０２に近接して配置されており、この結果、可燃性通知材料１５６（図３）に点火された際に、通知材料１５６の点火及び燃焼に関連した光が検出器要素２５６によって検知されるようになっている。この要素２５６による光の検出に応答し、光検出器要素２５６は、発光要素２５８を起動する。起動された際に、発光要素２５８は、光信号を光リンク（これは、図５に図示されてはいない）を介して離れた場所に伝送することにより、交換を要するヒューズを識別する。一実施例における光検出要素２５６は、既知のフォトダイオード／トランジスタであり、発光装置２５８は、既知の発光ダイオード（Ｌｉｇｈｔ  Ｅｍｉｔｔｉｎｇ  Ｄｉｏｄｅ：ＬＥＤ）、ネオンランプ、又は相対的に低コストで別の場所に対して光学的に伝送可能な光を生成するその他の既知の発光装置である。
【００４５】
通知回路２５４は、光によって起動されているため（これは、しばしば、光学起動回路とも呼ばれる）、回路２５４は、１次ヒューズ要素アセンブリ２００（図４）から電気的に分離された状態において、パネル２５０内の空気インターフェイスを介してローカルヒューズ状態インジケータアセンブリ１０２の動作を確実に検出可能である。換言すれば、通知回路２５４は、ヒューズ１００の導電性部分又は１次ヒューズ要素アセンブリ２００に電気的に接続されてはいない。むしろ、通知回路２５４は、ローカルヒューズ状態インジケータアセンブリ１２０の動作状況又は状態に応答しており、通知回路２５４は、ヒューズ１００の動作可能状態を確実に通知するために１次ヒューズ要素２００に対する直接的な接続を必要とはしていない。従って、関連する設置問題及びこのような接続を実施するための費用と共に、ヒューズ１００に対する配線による電気接続が回避されており、１次ヒューズ要素２００がヒューズ１００を通じた回路を開路した際に通知回路２５４を起動するための機械的な起動要素も不要になっている。この結果、従来の通知システムと比べて、確実なヒューズ状態のリモート通知が低コストで提供されている。
【００４６】
或いは、この代わりに、パネル２５０は、ヒューズ１００に対する配線による接続を伴うことなしに、１次ヒューズ要素２００の動作状態を間接的に検出するべく使用可能な検出要素２６０（これは、図５に点線によって示されている）を包含することも可能である。様々な実施例において、検出要素２６０は、パネル２５０内のヒューズ端子２５２の間を流れる電流を検知したり、或いは、検出要素２６０は、１次ヒューズ要素２００が開路した際の端子２５２における電圧降下を検知可能である。例えば、ヒューズ１００内の分路において計測する既知のセンサ要素や当技術分野において既知のその他の技法により、例えば、電流及び電圧読取値を入手可能であり、回路２５４は、電流及び／又は電圧読取値が既定の閾値を下回った際に、発光要素２５８を起動して光信号を離れた場所に対して伝送する。
【００４７】
更に別の実施例においては、検出器要素２６０は、パネル２５０のヒューズ端子２５２に接続された温度センサである。このような実施例においては、検出器要素は、ヒューズ端子２５２の動作温度を検知することにより、１次ヒューズ要素２００の開路を検出すると共に、１次ヒューズ要素２００がヒューズを通じた回路を開路した際に、相応して発光要素２５８を起動可能である。
【００４８】
光検出器要素２５６の代わりに検出器要素２６０を使用することにより、ヒューズ１００のローカルヒューズ状態インジケータ１０２と無関係に、ヒューズ１００が動作可能であるかどうかを決定可能である。即ち、検出器要素２６０によれば、光信号による確実なヒューズ状態のリモート通知を依然として実現しつつ、ローカルヒューズ状態インジケータを含んでいない低コストのヒューズを利用可能である。又、必要に応じて、特定のアプリケーションにおいて光検出器要素２５６及び検出器要素２６０の組み合わせを使用可能であることも考えられ、このような実施例においては、光検出器要素２５６は、ローカルヒューズ状態インジケータ１０２が前述のように状態を変化させた際に、発光要素２５８を起動可能であり、検出器要素２６０は、検知された電流、電圧、又は温度が、例えば、パネル内のヒューズ１００の異常な又は予期していない動作状態を通知する既定の閾値を満足している際に、発光要素２５８を起動可能である。従って、結果的にヒューズ１００を通じた１次ヒューズ要素２００の開路をもたらさない場合にも、異常な又は予期していない動作状態を識別可能であり、これは、電気システム内におけるトラブルシューティングや診断問題の観点において興味深いであろう。更なる発光要素２５８を提供することも可能であり、この発光要素２５８を選択的に発光させることにより、異なる情報を離れた場所に位置するシステムオペレータ又は要員に対して伝達可能である。例えば、１つの発光要素を発光させることにより、開路したヒューズについて通知し、もう１つの光通知要素２５８を発光させることにより、指定の電流、電圧、又は温度状態の発生を通知可能である。
【００４９】
更には、通知回路２５４内にエネルギー保存要素２６２（これは、図５に点線で示されている）を提供することにより、発光要素２５８に対してエネルギーを供給して発光させることができる。エネルギー保存要素２６２は、ヒューズ１００が動作した際の電圧の損失に起因し、その他の方法によっては発光要素２５８が発光しなくなるアプリケーションにおいて特に有用であろう。例えば、電動機アプリケーションにおいて、ヒューズ１００が電動機始動装置などの負荷側装置を作動させている際には、ヒューズ１００の開路により、電動機始動装置が開路することになり、負荷側端子２５２上の電圧の損失が発生し、この結果、発光装置が発光できなくなる可能性がある。エネルギー保存要素２６２は、このような状況において発光装置２５８の発光を維持するべく、エネルギーを保存するコンデンサ又はその他の既知のメカニズムであってよい。
【００５０】
図６は、電源又は電源回路３０２と電気的負荷３０４の間に相互接続されたパネル２５０を含むヒューズ通知システム３００の概略ブロックダイアグラムである。ヒューズ１００が、電源３０２と負荷３０４においてヒューズ端子２５２を介して接続されることにより、電源３０２と負荷３０４の間のヒューズ１００を通じた電気接続を完成させている。様々な実施例において、負荷３０４は、電気コンポーネント（例えば、変圧器、インダクタ、集積回路）、装置（例えば、機械、電動機、及び駆動コンポーネント、コンピュータ、プログラム可能なロジック制御システム）、及び大規模な電気システムのサブ回路を包含可能である。又、負荷３０４は、更なる負荷（これは、図示されてはいない）に対する２次電源としても機能可能である。
【００５１】
前述のように、ヒューズ１００は、回路の経路を物理的に切断すると共に負荷３０４を電源３０２から隔離することにより、指定の過電流状態などの回路内における指定の電流状態が発生した際に負荷３０４に対する損傷を防止するべく構築されている。パネル２５０内には、ヒューズ１００と近接して（但し、１次ヒューズ要素２００（図４）とは分離された状態において）通知回路２５４が提供されており、配線による接続を伴うことなしに、１次ヒューズ要素の動作を検出する。通知回路２５４が前述の方法のいずれかによってヒューズ要素の開路を検出した際には、回路２５４は、発光装置２５８（図５）を発光させることにより、光信号を通信リンク１１６を介してオペレータステーション３１０などの離れた場所に対して伝送する。一実施例においては、通信リンク１１６は、光信号を伝送することによってヒューズの状態を離れた場所に伝達する能力を有する高誘電性の光ファイバリード又は光ケーブルである。代替実施例においては、その他の既知の光伝送媒体を同様の目的に使用可能である。
【００５２】
図６に示されているように、ヒューズ１００が開路した際に適切な動作を実行できるように、リレー３０８などのスイッチング要素をシステム３００内に提供可能である。例えば、リレー３０８は、開路したヒューズ１００の電動機始動装置などの追加装置に対してシグナリングするべく接続可能である。即ち、例えば、３相電源内の単一のヒューズが動作した際には、開路したヒューズにより、残りの２相に不均衡が発生する傾向を有している。リレー３０８に提供された信号により、電動機始動装置などの３相装置を開路し、これにより、回路内の不均衡を除去すると共に、開路したヒューズの交換が完了して３相のすべてが回復される時点まで、関連する問題を回避可能であろう。
【００５３】
図７は、システム３００（図６）内において使用可能な通知回路２５４の模範的な回路図である。図７に示されているように、回路２５４は、第２トランジスタ／ダイオード４００に接続されたフォトトランジスタの形態の光検出要素２５６とＬＥＤの形態の発光要素２５８を含んでいる。回路２５４は、５ＶのＤＣ電源４０２から電力を供給されており、フォトトランジスタのリセットピン４０４が閉路されてトランジスタ４００がターンオフされている際には、フォトトランジスタのピン３はＬｏｗに設定されており、この結果、ＬＥＤに電力が供給されず、発光しないようになっている。
【００５４】
ローカルヒューズ状態インジケータ１０２の可燃性材料１５６に点火され、消費されるに伴って光がフォトトランジスタに入射すると、フォトトランジスタのピン３がラッチされてトランジスタ４００がターンオンし、ＬＥＤに対して電力が供給されることになる。ＬＥＤからの光は、ヒューズ状態のリモート通知のために、光信号として通信リンク３０６（図６）を介して離れた場所に伝達される。又、前述のように、回路２５４は、特定の使用目的を実現するべく、所望又は必要に応じて、エネルギー保存要素２６０（図５）、複数の発光要素２５８、及びその他の変更点を包含可能である。
【００５５】
以上、様々な特定の実施例の観点から本発明について説明したが、当業者であれば、本発明は、添付の請求項の精神及び範囲内において、変更を伴って実施可能であることを認識するであろう。
【図面の簡単な説明】
【００５６】
【図１】ローカルヒューズ状態インジケータを含む既知のヒューズの平面図である。
【図２】図１に示されているヒューズの部分的に取り外された別の平面図である。
【図３】図１及び図２に示されているヒューズ用のヒューズ状態インジケータアセンブリの分解底部斜視図である。
【図４】図１及び図２に示されているヒューズの分解組立図である。
【図５】図１〜図４に示されているヒューズ用の模範的なパネルの平面図である。
【図６】図５に示されているパネルを含むヒューズ通知システムの概略ブロックダイアグラムである。
【図７】図６に示されているシステムの模範的な回路図である。
【図１】
2008518422.tif 000003
【図２】
2008518422.tif 000004
【図３】
2008518422.tif 000005
【図４】
2008518422.tif 000006
【図５】
2008518422.tif 000007
【図６】
2008518422.tif 000008
【図７】
2008518422.tif 000009
【国際調査報告】
2008518422.tif 000010
2008518422.tif 000011
2008518422.tif 000012
2008518422.tif 000013
2008518422.tif 000014